(57)【要約】【課題】ディジタルテレビ放送視聴中、映像を見ることができない状態においては、主音声だけでは十分な情報を得ることはできない。また、手動で音声解説副音声に切り替える場合、その番組が音声解説副音声を有する番組であることを判断してから操作を行うなど、煩わしい操作が必要である。【解決手段】視聴中の番組が音声解説副音声を有する番組であることを判断する手段と、利用者が映像表示を見ることができない不可視状態であることを判断する手段とを設ける。ディジタルテレビ放送の視聴中に、視聴中の番組が音声解説副音声を有し、かつ、利用者が不可視状態であることを検出した場合に、復号化する音声を自動的に副音声に切り替える。これにより、煩わしい操作を必要とすることなく、番組の内容を理解するために有効でかつ十分な情報を利用者に提供することを可能とした。【選択図】図１
2005151214.tif 000002
【特許請求の範囲】
【請求項１】
映像表示部と、
受信している番組が音声解説副音声を有する番組であるか否かを判断する音声判断手段と、
復号化する音声情報を主音声と副音声から選択する音声選択手段と、
前記映像表示部が不可視状態であるか否かを検出する不可視状態検出手段とを備え、
前記不可視状態検出手段の不可視状態であるか否かの検出結果に応じて、音声選択手段が主音声と副音声を選択することを特徴とするディジタルテレビ放送受信装置。
【請求項２】
前記不可視状態検出手段が、前記映像表示部が不可視状態であることを検出し、かつ、前記音声判断手段が、受信している番組が音声解説副音声を有する番組であると判断した場合に、前記音声選択手段は副音声を選択することを特徴とする請求項１に記載のディジタルテレビ放送受信装置。
【請求項３】
前記不可視状態検出手段が、前記映像表示部が不可視状態から可視状態に変化したことを検出した場合、前記音声選択手段は主音声を選択することを特徴とする請求項１に記載のディジタルテレビ放送受信装置。
【請求項４】
当該ディジタルテレビ放送受信装置は、折りたたまれると映像表示部が不可視状態となる折りたたみ可能な構造を備え、
前記不可視状態検出手段は、折りたたまれているか否かに応じて不可視状態の検出を行なうことを特徴とする請求項１から３のいずれかに記載のディジタルテレビ放送受信装置。
【請求項５】
表示のＯＮとＯＦＦの切り換えを行なう表示切り替え検出手段を備え、
前記不可視状態検出手段は、表示切り換えの検出結果に応じて不可視状態の検出を行なうことを特徴とする請求項１から３のいずれかに記載のディジタルテレビ放送受信装置。
【請求項６】
ディジタルテレビ放送を記録再生する手段を備え、前記不可視状態検出手段が、前記映像表示部が不可視状態であることを検出した場合に、記録再生手段へディジタルテレビ放送の自動記録を開始すること、を特徴とする請求項１から５のいずれかに記載のディジタルテレビ放送受信装置。
【請求項７】
前記不可視状態検出手段が、前記映像表示部が不可視状態から可視状態に変化したことを検出した場合に、前記記録再生手段へのディジタルテレビ放送の自動記録を停止すること、を特徴とする請求項６に記載のディジタルテレビ放送受信装置。
【発明の詳細な説明】
【技術分野】
【０００１】
本発明は、ディジタルテレビ放送受信装置に関し、特に、携帯受信装置における映像を受信する際に好適な、映像の可視状態に基づき復号化する音声を選択することで、有効でかつ十分な情報を利用者に提供しようとするディジタルテレビ放送受信装置に関する。
【背景技術】
【０００２】
今後のディジタルテレビ放送は携帯受信装置での視聴も可能となるが、その場合、通勤・通学などの空き時間に視聴されることが想定される。
【０００３】
その時、電車の乗り換え時など交通手段によっては、必ずしも映像を見ることができる状態を維持できるとは限らない。
【０００４】
また、今後のディジタルテレビ放送では、弱視者等のために詳細な解説がされる音声解説副音声付き番組の放送が増えていくことが考えられる。
【０００５】
更に、車載用ディジタルテレビ放送受信装置に、走行中に音声解説副音声を自動的に選択し、有効でかつ十分な情報を運転者に提供しようとするものもある（特許文献１参照）。
【特許文献１】特開２００１−９４８９７号公報
【発明の開示】
【発明が解決しようとする課題】
【０００６】
しかしながら、電車の乗り換え時などディジタルテレビ放送視聴時で映像を見ることができない状態においては、主音声だけでは番組の内容を理解するために十分な情報を得ることができないという問題があった。
【０００７】
また、追加の番組情報を得るために、音声選択を手動で音声解説副音声に切り替える場合、その番組が音声解説副音声を有する番組であることを判断してから操作を行わないといけないことから、利用者に煩わしい操作を必要とさせる。
【０００８】
また、スポーツ中継の得点シーンなど、音声解説副音声だけでは十分に満足できない可能性も考えられる。
【０００９】
それゆえに本発明の目的は、ディジタルテレビ放送視聴時で映像を見ることができない状態で、視聴中の番組が音声解説副音声を有する場合に、復号化する音声を自動的に副音声に切り替えることで、番組の内容を理解するために十分な情報を利用者に提供することを可能とするディジタルテレビ放送受信装置を提供することである。
【００１０】
また、本発明の更なる目的は、ディジタルテレビ放送視聴時で映像を見ることができない状態においては、記録再生装置に視聴中の番組を自動的に記録することで、見たいシーンを見逃すことがないディジタルテレビ放送受信装置を提供することである。
【課題を解決するための手段】
【００１１】
上記の課題を解決するために、本発明は、受信している番組が音声解説副音声を有する番組であると判断する音声判断手段と、復号化する音声情報を主音声と副音声から選択する音声選択手段とを有するテレビ放送受信装置において、ディジタルテレビ放送の映像表示部が不可視状態であることを検出する不可視状態検出手段を設け、不可視状態検出手段がディジタルテレビ放送の映像表示部が不可視状態であることを検出し、音声判断手段が視聴中の番組が音声解説副音声を有する番組であると判断した場合に、音声選択手段が副音声を選択するものである。
【００１２】
更なる本発明は、前記ディジタルテレビ放送受信装置が、ディジタルテレビ放送を記録再生する手段を備え、不可視状態検出手段が前記映像表示部が不可視状態であることを検出した場合に、記録再生手段へディジタルテレビ放送の自動記録を開始することで達成している。
【発明の効果】
【００１３】
以上のように、本発明によれば、視聴中の番組が音声解説副音声を有する番組であると判断する音声判断手段からの情報と、ディジタルテレビ放送の映像表示部が不可視状態であることを検出する不可視状態検出手段からの情報に基づき、復号化する音声に音声解説副音声を自動的に選択することで、煩わしい操作を必要とすることなく、番組の内容を理解するために十分な情報を利用者に提供することを可能とする効果を有する。
【００１４】
更に、本発明によれば、ディジタルテレビ放送を記録再生する手段を備え、ディジタルテレビ放送の映像表示部が不可視状態であることを検出する不可視状態検出手段からの情報に基づき、記録再生手段への記録を、自動的に開始あるいは停止することで、見たいシーンを見逃すことがない、との効果を有する。
【発明を実施するための最良の形態】
【００１５】
（実施の形態１）
図１は、本発明の実施の形態に係るディジタルテレビ放送受信装置を用いたシステムの概念図を示したものである。図１において、利用者１ａがディジタルテレビ放送受信装置１ｂにてディジタルテレビ放送を視聴する場合、イヤホン１ｃで主音声を聞き、映像表示部１ｄの映像を見ることが、一般的である。
【００１６】
利用者１ｅの視聴状態が、ディジタルテレビ放送受信装置１ｆの映像表示部１ｇ（図１を参照）を見ることができない状態に移行した場合に、ディジタルテレビ放送受信装置１ｆは、利用者に番組の内容を理解するために十分な情報を提供することを目的とし、復号化する音声を音声解説副音声に切り替える。
【００１７】
図２は、本実施の形態におけるディジタルテレビ放送受信装置の構成を示すブロック図である。図２において、ディジタルテレビ放送受信装置１ｂおよび１ｆは、復調部２ａと、多重化分離処理部２ｂと、音声判断手段２ｃと、音声選択手段２ｄと、音声デコード処理部２ｅと、音声出力部２ｆと、映像デコード処理部２ｇと、映像表示部２ｈと、ＣＰＵ２ｉと、不可視状態検出手段２ｊとを備える。
チューナ（図示せず）によって受信されたディジタルテレビ放送受信信号は、復調部２ａにおいて復調され、この復調されたディジタルテレビ放送受信信号は、多重化分離処理部２ｂへ入力される。多重化分離処理部２ｂは、入力された信号をセクション、映像、音声など個々のデータストリームに分離する。映像情報は映像デコード処理部２ｇへ送出、復号化され、映像表示部２ｈに表示される。音声情報は音声デコード処理部２ｅに、セクション情報は音声判断手段２ｃに送出される。音声判断手段２ｃは、セクション情報を基に、受信信号に音声解説副音声が含んでいるか否かを判断する。音声選択手段２ｄは、音声判断手段２ｃが、受信信号が音声解説副音声を含んだ信号であることを検出し、不可視状態検出手段２ｊが、利用者がディジタルテレビ放送受信装置の映像表示部を見ることができない不可視状態であることを検出した場合に、副音声を選択する。音声選択手段２ｄは、音声判断手段２ｃが、信号が音声解説副音声を含んだ信号でないことを検出するか、もしくは、不可視状態検出手段２ｊが、利用者がディジタルテレビ放送受信装置の映像表示部を見ることができる可視状態であることを検出した場合は、主音声を選択する。音声デコード処理部２ｅは、音声選択手段２ｄにて選択された音声を復号化して、音声出力部２ｆへ出力する。
【００１８】
ディジタルテレビ放送受信信号が音声解説副音声を含んでいるか否かを検出する方法について、２通りの具体例を挙げて説明する。
（第１の方法）
第１の方法は、番組のジャンル情報に基づいて判断する方法である。図３は、Ｌ−ＥＩＴ（ｔｙｐｅＬ−Ｅｖｅｎｔ  Ｉｎｆｏｒｍａｔｉｏｎ  Ｔａｂｌｅ）に記載されるコンテント記述子の構造を示す。図３において、「ｃｏｎｔｅｎｔ＿ｎｉｂｂｌｅ＿ｌｅｖｅｌ＿１」は番組ジャンル大分類を、「ｃｏｎｔｅｎｔ＿ｎｉｂｂｌｅ＿ｌｅｖｅｌ＿２」は番組ジャンル中分類を示す。
【００１９】
図４を参照して、ディジタルテレビ放送受信信号が音声解説副音声を含んだ信号であるか否かを判断する手順を説明する。音声判断手段２ｃは、Ｌ−ＥＩＴにコンテント記述子が記載されているか否かを判断する（Ｓ４１）。Ｓ４１でコンテント記述子が記載されている場合は、ステップＳ４２に進み、「ｃｏｎｔｅｎｔ＿ｎｉｂｂｌｅ＿ｌｅｖｅｌ＿１＝0ｘＢ（福祉）」であるか否かを判断する。ステップＳ４２で「ｃｏｎｔｅｎｔ＿ｎｉｂｂｌｅ＿ｌｅｖｅｌ＿１＝0ｘＢ（福祉）」である場合は、ステップＳ４３に進み、「ｃｏｎｔｅｎｔ＿ｎｉｂｂｌｅ＿ｌｅｖｅｌ＿２＝０ｘ６（音声解説）」であるか否かを判断する。ステップＳ４３で「ｃｏｎｔｅｎｔ＿ｎｉｂｂｌｅ＿ｌｅｖｅｌ＿２＝０ｘ６（音声解説）」である場合は、音声解説副音声が含まれていると判断する。ステップＳ４２で「ｃｏｎｔｅｎｔ＿ｎｉｂｂｌｅ＿ｌｅｖｅｌ＿１＝0ｘＢ（福祉）」ではない場合や、ステップＳ４３で「ｃｏｎｔｅｎｔ＿ｎｉｂｂｌｅ＿ｌｅｖｅｌ＿２＝０ｘ６（音声解説）」ではない場合は、音声解説副音声が含まれていないと判断する。なお、ｃｏｎｔｅｎｔ＿ｎｉｂｂｌｅ＿ｌｅｖｅｌは最大７個と規定されているため、７回にわたって、ｃｏｎｔｅｎｔ＿ｎｉｂｂｌｅ＿ｌｅｖｅｌの比較を行えばよい。
（第２の方法）
第２の方法は、ＥＰＧ（Ｅｌｅｃｔｒｏｎｉｃ  Ｐｒｏｇｒａｍ  Ｇｕｉｄｅ：電子番組ガイド）情報に基づいて判断する方法である。図５は、Ｌ−ＥＩＴに記載される短形式イベント記述子の構造を示す。図５において、「ｔｅｘｔ＿ｃｈａｒ」は番組記述を示す。
【００２０】
図６を参照して、ディジタルテレビ放送受信信号が音声解説副音声を含んだ信号であるか否かを判断する手順を説明する。音声判断手段２ｃは、Ｌ−ＥＩＴに短形式イベント記述子が記載されているか否かを判断する（Ｓ６１）。Ｓ６１で短形式イベント記述子が記載されている場合は、ステップＳ６２に進み、「ｔｅｘｔ＿ｃｈａｒ」に音声解説を示す追加特殊文字、「７Ａ５Ｃ」が含まれているか否かを判断する。ステップＳ６２で「ｔｅｘｔ＿ｃｈａｒ」に音声解説を示す追加特殊文字が含まれている場合は、音声解説副音声が含まれていると判断する。ステップＳ６２で「ｔｅｘｔ＿ｃｈａｒ」に音声解説を示す追加特殊文字が含まれていない場合は、音声解説副音声が含まれていないと判断する。なお、この判断を行うには、「ｔｅｘｔ＿ｌｅｎｇｔｈ」が示すデータの全体にわたって「ｔｅｘｔ＿ｃｈａｒ」の比較を行えばよい。
【００２１】
次に、不可視状態検出手段２ｊが、利用者がディジタルテレビ放送受信装置をみることができない不可視状態であるか否かを判断する方法について、２通りの具体例を挙げて説明する。
（第１の方法）
第１の方法は、ディジタルテレビ放送受信装置が、折りたたまれると映像表示部が不可視状態になる、折りたたみ可能な構造である場合の、判断方法である。図７は、第１の方法における、システムの概念図を示したものである。図７において、ディジタルテレビ放送受信装置７ａは、折りたたまれていない状態では映像表示部は可視状態であり、復号化する音声には主音声が選択されている。ディジタルテレビ放送受信装置７ｂのように、折りたたまれた状態に移行した場合は、映像表示部は不可視状態であるため、復号化する音声を音声解説副音声に切り替える。
【００２２】
ディジタルテレビ放送受信装置７ａおよび７ｂは、不可視状態検出手段２ｊとして、折りたたみ状態を検出する折りたたみ状態検出手段２ｋを備える。折りたたみ状態検出手段２ｋは、ディジタルテレビ放送受信装置７ａが、折りたたまれている状態である場合は、利用者がディジタルテレビ放送受信装置の映像表示部を見ることができない不可視状態であると検出し、折りたたまれていない状態である場合は、利用者がディジタルテレビ放送受信装置の映像表示部を見ることができる可視状態であると検出する。
（第２の方法）
第２の方法は、ディジタルテレビ放送受信装置が、映像表示部の駆動を制御する表示部制御手段を備えている場合の、判断方法である。図８は、第２の方法における、システムの概念図を示したものである。図８において、ディジタルテレビ放送受信装置８ａおよび８ｂは、利用者によって映像表示部８ｃのＯＮ／ＯＦＦ操作が可能な、表示切り替えボタン８ｄを有する。ディジタルテレビ放送受信装置８ａは、映像表示部がＯＮされている状態であるため、復号化する音声には主音声が選択されている。ディジタルテレビ放送受信装置８ｂのように、表示切り替えボタン８ｄによって映像表示部がＯＦＦされた状態に移行した場合には、復号化する音声を音声解説副音声に切り替える。
【００２３】
ディジタルテレビ放送受信装置８ａおよび８ｂは、不可視状態検出手段２ｊとして、表示切り替え検出手段２ｌを備える。表示切り替え検出手段２ｌは、表示切り替えボタン８ｄと連動しており、利用者からの操作を検出する。利用者によってＯＦＦされたことを検出した場合は、ディジタルテレビ放送受信装置の映像表示部を見ることができない不可視状態であると検出する。
【００２４】
また表示切り替え検出手段２ｌは、表示制御手段２ｍに検出情報を送信し、表示制御手段２ｍは映像表示部２ｈをＯＦＦする。さらに、表示切り替え検出手段２ｌは、折りたたみ状態でなくなったこと、あるいは、利用者によってＯＮされたこと、を検出した場合は、利用者がディジタルテレビ放送受信装置の映像表示部を見ることができる可視状態であると検出する。
【００２５】
表示切り替え検出手段２ｌは、表示制御手段２ｍに検出情報を送信し、表示制御手段２ｍは映像表示部２ｈをONする。
【００２６】
このように、受信している番組が音声解説副音声を有する番組であるか否かの情報と、ディジタルテレビ放送の映像表示部が不可視状態であるか否かの情報に基づき、復号化する音声を自動的に選択することで、煩わしい操作を必要とすることなく、番組の内容を理解するために十分な情報を、利用者に提供することを可能とする。
【００２７】
(実施の形態２)
図９が、本実施の形態２に係るディジタルテレビ放送受信装置の構成を示す図である。ディジタルテレビ放送受信装置１ａおよび１ｄは、記録再生手段９ｎを更に備える。他の構成については、実施の形態１で説明した図２と同様である。
【００２８】
図９において、チューナ（図示せず）によって受信されたディジタルテレビ放送受信信号は、復調部９ａにおいて復調され、この復調されたディジタルテレビ放送受信信号は、多重化分離処理部９ｂへ入力される。多重化分離処理部９ｂは、入力された信号をセクション、映像、音声など個々のデータストリームに分離する。映像情報は映像デコード処理部９ｇへ送出、復号化され、映像表示部９ｈに表示される。音声情報は音声デコード処理部９ｅへ送出され、音声デコード処理部９ｅは、音声選択手段９ｄにて選択された音声を復号化して、音声出力部９ｆへ出力する。不可視状態検出手段９ｊが、利用者がディジタルテレビ放送受信装置の映像表示部を見ることができない不可視状態であることを検出した場合に、記録再生手段９ｎは、ディジタルテレビ放送受信信号の記録を開始する。不可視状態検出手段９ｊが、利用者がディジタルテレビ放送受信装置の映像表示部を見ることができる可視状態であることを検出した場合に、記録再生手段９ｋは、ディジタルテレビ放送受信信号の記録を停止する。
【００２９】
このように、ディジタルテレビ放送を記録再生する手段を備え、ディジタルテレビ放送受信装置の映像表示部が不可視状態であるか否かの情報に基づき、記録再生手段への記録を、開始あるいは停止することで、利用者は、見たいシーンを見逃すことがない。
【産業上の利用可能性】
【００３０】
本発明にかかるディジタルテレビ放送受信装置は、煩わしい操作を必要とすることなく、有効でかつ十分な情報提供を可能とすることが必要な、特に携帯型ディジタルテレビ放送受信装置等として有用である。
【図面の簡単な説明】
【００３１】
【図１】本発明の実施の形態に係るディジタルテレビ放送受信装置を用いたシステムの概念図
【図２】ディジタルテレビ放送受信装置の構成を示すブロック図
【図３】音声解説副音声に係るコンテント記述子のデータ構造を示す図
【図４】番組ジャンル情報を用いた音声解説副音声の検出手順を示すフローチャート
【図５】音声解説副音声に係る短形式イベント記述子のデータ構造を示す図
【図６】ＥＰＧ情報を用いた音声解説副音声の検出手順を示すフローチャート
【図７】折りたたみ構造による不可視状態検出システムの概念図
【図８】表示部制御手段による不可視状態検出システムの概念図
【図９】本発明の第２の形態に係るディジタルテレビ放送受信装置の構成を示すブロック図
【符号の説明】
【００３２】
１ａ    利用者
１ｂ    ディジタルテレビ放送受信装置（可視状態）
１ｃ    イヤホン
１ｄ    映像表示部
１ｅ    利用者
１ｆ    ディジタルテレビ放送受信装置（不可視状態）
１ｇ    映像表示部
２ａ    復調部
２ｂ    多重化分離処理部
２ｃ    音声判断手段
２ｄ    音声選択手段
２ｅ    音声デコード処理部
２ｆ    音声出力部
２ｇ    映像デコード処理部
２ｈ    映像表示部
２ｉ    ＣＰＵ
２ｊ    不可視状態検出手段
２ｋ    折りたたみ状態検出手段
２ｌ    表示切り替え検出手段
２ｍ    表示部制御手段
２ｎ    記録再生手段
７ａ    ディジタルテレビ放送受信装置（折りたたまれていない状態）
７ｂ    ディジタルテレビ放送受信装置（折りたたまれた状態）
８ａ    ディジタルテレビ放送受信装置（映像表示部がＯＮされている）
８ｂ    ディジタルテレビ放送受信装置（映像表示部がＯＦＦされている）
８ｃ    映像表示部
８ｄ    表示切り替えボタン
９ａ    復調部
９ｂ    多重化分離処理部
９ｃ    音声判断手段
９ｄ    音声選択手段
９ｅ    音声デコード処理部
９ｆ    音声出力部
９ｇ    映像デコード処理部
９ｈ    映像表示部
９ｉ    ＣＰＵ
９ｊ    不可視状態検出手段
９ｋ    記録再生手段
【図１】
2005151214.tif 000003
【図２】
2005151214.tif 000004
【図３】
2005151214.tif 000005
【図４】
2005151214.tif 000006
【図５】
2005151214.tif 000007
【図６】
2005151214.tif 000008
【図７】
2005151214.tif 000009
【図８】
2005151214.tif 000010
【図９】
2005151214.tif 000011